(57)【要約】      （修正有）【課題】表紙部分に独自色を出せるとともに、そのための作業が容易であるアルバムを提供すること。【解決手段】表紙２と、裏表紙４と、前記表紙２及び裏表紙４とを連通した背表紙３と、前記表紙２及び裏表紙３間に備えた、写真、スクラップ等を収容可能な収容頁５と、を備えたアルバムであって、前記表紙２は、表紙２を切り欠くことにより形成した飾り窓部６と、該飾り窓部６に連通する配置で前記表紙２の裏面に形成した収容スペースと、前記表紙２の裏面に、前記収容スペースを開閉自在に備えた蓋と、を備えるとともに、前記収容スペース内にマグネット又は磁性体を配置し、前記蓋８の内側面には、前記収容スペース７内に配置したマグネット１０又は磁性体に吸着可能な配置で磁性体又はマグネットを配置した。【選択図】図１
0003118267.tif 000002
【実用新案登録請求の範囲】
【請求項１】
表紙（２）と、裏表紙（４）と、前記表紙（２）及び裏表紙（４）とを連通した背表紙（３）と、前記表紙（２）及び裏表紙（３）間に備えた、写真、スクラップ等を収容可能な収容頁（５）と、を備えたアルバムであって、
前記表紙（２）は、
表紙（２）を切り欠くことにより形成した飾り窓部（６）と、
該飾り窓部（６）に連通する配置で前記表紙（２）の裏面に形成した収容スペース（７）と、
前記表紙（２）の裏面に、前記収容スペース（７）を開閉自在に備えた蓋（８）と、を備えるとともに、
前記収容スペース（７）内にマグネット（１０）又は磁性体を配置し、前記蓋（８）の内側面には、前記収容スペース（７）内に配置したマグネット（１０）又は磁性体に吸着可能な配置で磁性体又はマグネット（１１）を配置したことを特徴とするアルバム。
【請求項２】
表紙（２）と、裏表紙（４）と、前記表紙（２）及び裏表紙（４）とを連通した背表紙（３）と、前記表紙（２）及び裏表紙（３）間に備えた、写真、スクラップ等を収容可能な収容頁（５）と、を備えたアルバムであって、
前記表紙（２）は、
表紙（２）を切り欠くことにより形成した飾り窓部（６）と、
該飾り窓部（６）に連通する配置で前記表紙（２）の裏面に形成した収容スペース（７）と、
前記飾り窓（６）を閉鎖する配置で前記収容スペース（７）間に配置した保護フィルム（９）と、
前記表紙（２）の裏面に、前記収容スペース（７）を開閉自在に備えた蓋（８）と、を備えるとともに、
前記収容スペース（７）内にマグネット（１０）又は磁性体を配置し、前記蓋（８）の内側面には、前記収容スペース（７）内に配置したマグネット（１０）又は磁性体に吸着可能な配置で磁性体又はマグネット（１１）を配置したことを特徴とするアルバム。
【考案の詳細な説明】
【技術分野】
【０００１】
本考案はアルバムに係り、より詳しくは、好みの写真等を容易に着脱自在に表紙に飾ることを可能にしたアルバムに関する。
【背景技術】
【０００２】
従来から、写真、スクラップ等を保存するものとしてアルバムが用いられているが、このアルバムは一般的に、厚紙等により形成される表紙、裏表紙間に、写真等を貼着可能とした、あるいは写真等を収容可能なポケットを備えた複数枚の収容頁を具備して構成されている。
【０００３】
ところで、従来のアルバムは一般的に、写真等を収容するための収容方法としては、台紙に貼着し、あるいは収容ポケットを備える等して様々な工夫がなされているが、アルバムの顔となる表紙について、使用者の立場に立った工夫がなされることはあまり無く、そのために、使用者の独自色を出したアルバムとすることができなかった。
【０００４】
即ち、従来のアルバムでは、例えば表紙にキャラクターをデザインしたものが存在しているが、特に市販されているアルバムでは大量生産する場合が多いために、同じキャラクターデザインの表紙のアルバムが多数存在してしまい、使用者独自のものとは言い難いものとなってしまう。
【０００５】
この点、従来のアルバムでは、例えば使用者の写真や使用者が撮影した写真等を表紙にデザインする方法も提案されており、この方法によれば、使用者の独自色を出すことも可能であるが、従来から提案されている方法では、使用者の写真等を表紙に貼着、圧着、あるいは転写等するものであり、写真の入れ替えが不可能であるという問題点がある。
【０００６】
また、前述の従来の方法では、写真等を表紙に貼着等するための作業が大変であり、煩わしさに耐えないという問題点も指摘できる。
【特許文献１】特開２００３−７２２６０号公報
【特許文献２】特開２００４−５０４９６号公報
【考案の開示】
【考案が解決しようとする課題】
【０００７】
そこで、本考案は、表紙部分に独自色を出せるとともに、そのための作業が容易であるアルバムを提供することを課題としている。
【課題を解決するための手段】
【０００８】
本考案のアルバムは、表紙と、裏表紙と、前記表紙及び裏表紙とを連通した背表紙と、前記表紙及び裏表紙間に備えた、写真、スクラップ等を収容可能な収容頁と、を備えたアルバムであって、
前記表紙は、表紙を切り欠くことにより形成した飾り窓部と、該飾り窓部に連通する配置で前記表紙の裏面に形成した収容スペースと、前記表紙の裏面に、前記収容スペースを開閉自在に備えた蓋と、を備えるとともに、
前記収容スペース内にマグネット又は磁性体を配置し、前記蓋の内側面には、前記収容スペース内に配置したマグネット又は磁性体に吸着可能な配置で磁性体又はマグネットを配置したことを特徴としている。
【考案の効果】
【０００９】
本考案のアルバムでは、表紙に飾り窓部を形成するとともに、表紙における飾り窓部の裏側には収容スペースを形成し、更に、この収容スペースを開閉自在とした蓋を備えているため、飾り窓部を介して外部から見える配置で収容スペース内に使用者等の写真を挿装することにより、使用者の独自色を出したアルバムにすることが可能である。
【００１０】
また、本考案のアルバムでは、収容スペース内にマグネット又は磁性体を配置するとともに、前記蓋の内側面には、前記収容スペース内に配置したマグネット又は磁性体に吸着可能な配置で磁性体又はマグネットを配置しており、これにより蓋の開閉を容易にしているため、写真等を収容スペース内に挿装する作業が極めて容易である。
【考案を実施するための最良の形態】
【００１１】
本考案のアルバムでは、厚紙等により形成された表紙及び裏表紙を備えるとともに、この表紙と裏表紙間には、写真、スクラップ等を収容可能な収容頁が備えられている。そして、この表紙及び裏表紙は、その一片において背表紙により連通されているとともに、前記収容頁はその一片が背表紙に接着されている。
【００１２】
そして、表紙は、表紙を切り欠くことにより形成した飾り窓部を有しており、この飾り窓部に連通する配置で、前記表紙の裏面には収容スペースが形成されている。
【００１３】
また、前記表紙の裏面には、前記収容スペースを開閉自在な形態で、蓋が備えられており、これにより、蓋を開閉することで、収容スペース内に写真等を挿装可能としている。
【００１４】
そして、前記収容スペース内にはマグネットが配置されるとともに、前記蓋の内側面には、前記収容スペース内に配置したマグネットに吸着可能な配置でマグネットが配置されている。
【００１５】
ここで、前記飾り窓と収容スペース間に保護フィルムを介在させるとよく、これにより収容スペース内に挿装した写真等が汚れることを有効に防止できる。
【実施例１】
【００１６】
本考案のアルバムの実施例について図面を参照して説明すると、図１は、本実施例のアルバムの斜視図であり、図において１が本実施例のアルバムである。
【００１７】
そして、本実施例のアルバム１では、一般的に使用されているアルバムと同様に、表紙２と裏表紙４とを備えるとともに、この表紙２及び背表紙４の一片側を背表紙３により連通している。
【００１８】
また、前記表紙２及び裏表紙４間には、写真やスクラップ等を収容可能な収容頁５が配置されており、この収容頁５は、その一片側を前記背表紙３の裏面に接着され、これによりアルバム１が構成されている。
【００１９】
なお、前記収容頁５の形態は特に限定されず、写真、スクラップ等を収容可能であればいずれでもよい。従って、例えば、表面に粘着層を有する台紙における前記粘着層に剥離自在にシートを貼着し、シートをはがして台紙表面に写真等を貼着した後に、再びシートを台紙に貼着可能としてもよく、あるいは、表面あるいは表裏面に収容ポケットを有する収容頁としてもよい。
【００２０】
次に、前記表紙２について説明すると、本実施例のアルバムにおいて前記表紙２には飾り窓部が形成されている。即ち、図１において６が飾り窓部であり、本実施例においてこの飾り窓部６は、表紙２を切り欠くことにより形成した貫通孔としている。
【００２１】
なお、本実施例においては、表紙２の下端部近傍に、横一列に３個の飾り窓部６を形成しているが、この飾り窓部６の位置は特に限定されない。
【００２２】
次に、図２は前記表紙２を背面側から示した斜視図であり、図において７は収容スペースである。即ち、本実施例においては、前記表紙２の裏面側において、前記飾り窓部６の部分を含む範囲に凹部を形成し、この凹部を収容スペース７としており、従って、収容スペース７は、前記飾り窓部６に連通している。そしてこれにより、この収容スペース７内に写真等を収容することで、この収容した写真等を表紙２の飾り窓部６を介して外部から見えるようにしている。そのため、本実施例のアルバムによれば、使用者の独自色を持たせたアルバムにすることが可能である。
【００２３】
なお、ここで図４は前記表紙２の縦断側面を示す図であり、図にも示されるように、本実施例において前記収容スペース７は、表紙２の裏側から、表紙２の厚さの半分前後をくり抜くことにより形成している。
【００２４】
次に、図２において８は蓋であり、本実施例においては、前記表紙２の裏面における収容スペース７に対応した箇所に蓋８を装着している。そして、本実施例においてこの蓋８は、前記表紙２の裏面に連設したヒンジ部８０２を介して開閉自在としている。
【００２５】
ここで、図３は、前記表紙２の裏面を示した図であり、前記蓋８を完全に開いている状態を示している。そして、図において１０及び１１はマグネットである。即ち、本実施例のアルバム１では、前記収容スペース７内において、前記蓋８を閉じた際に蓋８の先端部分裏面に当接する箇所近傍にシート状のマグネット１０を配設しており、一方、前記蓋８における先端部分の裏面にも同じくシート状のマグネット１１を配設しており、これにより、蓋８を閉じた際にマグネット１０及び１１が互いに吸着することにより、蓋８が開いてしまうことを防止している。
【００２６】
なお、図において８０１は蓋８を開く際の把手であり、本実施例においてこの把手８０１はシート状物で構成している。
【００２７】
次に、図４において９は保護フィルムである。即ち、本実施例のアルバム１では、前記収容スペース７内において、前記飾り窓部６を閉鎖する配置で保護フィルム９を配置しており、これにより、収容スペース７内に収容した写真等が汚れることを防止している。
【００２８】
次に、このように構成される本実施例のアルバム１の作用について説明すると、本実施例のアルバムにおいて表紙２に写真等を装着する場合には、蓋８を開いて収容スペース７を開放し、その後に、飾り窓部６から見えるような配置で収容スペース７内に写真等を収容し、その後は蓋８を閉じるのみでよく、これにより表紙２に好みの写真等を飾ることが可能となり、アルバムを使用者独自のデザインにすることができる。
【００２９】
そしてこのとき、本実施例のアルバムでは、表紙２に飾り窓部６を形成するとともに、この飾り窓部６に連通した収容スペース７を表紙の裏面に形成し、これにより収容スペース７内に写真等を収容することのみでこの写真等で表紙を飾ることができるため、作業が容易であるとともに、使用者の写真等を表紙に貼着等する方法と異なり、写真の入れ替えが可能であるという利点がある。
【００３０】
また、収容スペースを開閉する蓋８はマグネットにより表紙２の裏面に吸着可能としているため、蓋８が開いて写真等が脱落してしまうことも防止することができる。
【００３１】
なお、前述の実施例では、収容スペース７内と蓋８の裏面の双方にマグネットを配置した場合を説明したが、必ずしもこのようにする必要はなく、このほか、例えば、収容スペース７内にマグネットを配設して蓋８の裏面にはマグネットに吸着可能な磁性体を配設してもよく、あるいは、蓋８の裏面にマグネットを配設して収容スペース７内にはマグネットに吸着可能な磁性体を配設してもよい。
【００３２】
また、前述の実施例では収容スペース７内に保護フィルム９を備えた場合を説明したが、この保護フィルムは必ずしも必要なものではなく、これを備えない形態としてもよい。
【産業上の利用可能性】
【００３３】
本考案のアルバムでは、面倒な作業を行うこと無く使用者の独自色を出したアルバムにすることを可能としているため、写真、スクラップ等を保存するためのアルバムの全般に適用可能である。
【図面の簡単な説明】
【００３４】
【図１】本考案のアルバムの実施例の斜視図である。
【図２】本考案のアルバムの実施例における表紙を背面側から示した斜視図である。
【図３】本考案のアルバムの実施例における表紙の背面図であり、蓋を全開している状態を示している。
【図４】本考案のアルバムの実施例における表紙の縦断側面を示した断面図である。
【符号の説明】
【００３５】
１    アルバム
２    表紙
３    背表紙
４    裏表紙
５    収容頁
６    飾り窓部
７    収容スペース
８    蓋
８０１    把手
８０２    ヒンジ部
９    保護フィルム
１０、１１    マグネット
【図１】
0003118267.tif 000003
【図２】
0003118267.tif 000004
【図３】
0003118267.tif 000005
【図４】
0003118267.tif 000006